(57)【要約】      （修正有）【課題】人と人とのつながりや関係性を示すソーシャルグラフを生成するソーシャルグラフ管理システムを提供する。【解決手段】パラメータ生成処理部と，第１のユーザ端末から，サービス情報のアクセス先識別情報の送信要求を受け付け，アクセス先識別情報にパラメータを付加して，第１のユーザ端末から指示を受け付けた送信先に送信するアクセス先送信処理部と，生成したパラメータと第１のユーザを識別するユーザ識別情報とを対応づけて記憶するソーシャルグラフ情報記憶部と，パラメータが付加されたアクセス先識別情報を受け取った第２のユーザの第２のユーザ端末からの，パラメータが付加されたアクセス先識別情報に基づくサービス情報の表示要求を判定すると，ソーシャルグラフ情報記憶部のパラメータに，第２のユーザのユーザ識別情報をさらに対応づけて記憶させるアクセス判定処理部と，を備えるソーシャルグラフ管理システムである。【選択図】図１
2013257800.tif 000002
【特許請求の範囲】
【請求項１】
ソーシャルグラフを生成するソーシャルグラフ管理システムであって，
パラメータを生成するパラメータ生成処理部と，
第１のユーザが利用する第１のユーザ端末から，サービス情報のアクセス先識別情報の送信要求を受け付け，前記アクセス先識別情報に前記パラメータ生成処理部で生成したパラメータを付加して，前記第１のユーザ端末から指示を受け付けた送信先に送信するアクセス先送信処理部と，
前記生成したパラメータと前記第１のユーザを識別するユーザ識別情報とを対応づけて記憶するソーシャルグラフ情報記憶部と，
前記パラメータが付加されたアクセス先識別情報を受け取った第２のユーザが利用する第２のユーザ端末からの，前記パラメータが付加されたアクセス先識別情報に基づく前記サービス情報の表示要求を判定すると，前記ソーシャルグラフ情報記憶部の前記パラメータに，前記第２のユーザのユーザ識別情報をさらに対応づけて記憶させるアクセス判定処理部と，を備える
ことを特徴とするソーシャルグラフ管理システム。
【請求項２】
ソーシャルグラフを生成するソーシャルグラフ管理システムであって，
パラメータを生成するパラメータ生成処理部と，
第１のユーザが利用する第１のユーザ端末からサービス情報の表示要求を受け付け，前記パラメータを付加した，サービス情報のアクセス先識別情報に基づくアクセスでないと判定すると，前記パラメータ生成処理部において前記パラメータを生成させるアクセス判定処理部と，
前記生成されたパラメータを付加したサービス情報のアクセス先識別情報と，前記サービス情報とを，前記第１のユーザ端末に送るサービス情報提供処理部と，
前記生成したパラメータと前記第１のユーザを識別するユーザ識別情報とを対応づけて記憶するソーシャルグラフ情報記憶部と，を備えており，
前記アクセス判定処理部は，
前記第１のユーザから送られた，前記パラメータを付加したアクセス先識別情報を受け取った第２のユーザが利用する第２のユーザ端末からの，前記パラメータが付加されたアクセス先識別情報に基づく前記サービス情報の表示要求を判定すると，前記ソーシャルグラフ情報記憶部の前記パラメータに，前記第２のユーザのユーザ識別情報をさらに対応づけて記憶させる，
ことを特徴とするソーシャルグラフ管理システム。
【請求項３】
前記アクセス判定処理部は，
前記第２のユーザのユーザ識別情報を特定出来ない場合，前記第２のユーザに対してユーザ識別情報を新たに付与し，そのユーザ識別情報を前記第２のユーザのユーザ識別情報として前記ソーシャルグラフ情報記憶部に記憶させ，
前記付与したユーザ識別情報を前記第２のユーザ端末に記憶させる，
ことを特徴とする請求項１または請求項２に記載のソーシャルグラフ管理システム。
【請求項４】
前記ソーシャルグラフ管理システムは，さらに，
前記ソーシャルグラフ情報記憶部に記憶するパラメータと第１のユーザのユーザ識別情報と第２のユーザのユーザ識別情報とに基づいて，前記パラメータに基づくソーシャルグラフを生成するソーシャルグラフ生成処理部，を備えており，
広告配信の条件を充足したユーザを特定し，そのユーザのユーザ識別情報に基づいて，前記ソーシャルグラフ生成処理部でソーシャルグラフを生成する，
ことを特徴とする請求項１から請求項３のいずれかに記載のソーシャルグラフ管理システム。
【請求項５】
前記ソーシャルグラフ管理システムは，
前記生成したソーシャルグラフに基づいて，そのユーザから所定の世代の範囲内のほかのユーザに対しても，前記広告を配信する，
ことを特徴とする請求項４に記載のソーシャルグラフ管理システム。
【請求項６】
前記ソーシャルグラフ管理システムは，
前記生成したソーシャルグラフに基づいて，そのユーザのユーザ識別情報が対応づけられたパラメータに，対応づけられているほかのユーザに対しても，前記広告を配信する，
ことを特徴とする請求項４に記載のソーシャルグラフ管理システム。
【請求項７】
前記ソーシャルグラフ管理システムは，
前記生成したソーシャルグラフに基づいて，そのユーザのユーザ識別情報が対応づけられたパラメータに，対応づけられているほかのユーザのうち，幹事として管理されているユーザに対しても，前記広告を配信する，
ことを特徴とする請求項４に記載のソーシャルグラフ管理システム。
【請求項８】
前記ソーシャルグラフ管理システムは，
前記ソーシャルグラフ情報記憶部におけるパラメータのうち，所定数以上のパラメータに対応づけられているユーザを特定し，そのユーザに対しても，前記広告を配信する，
ことを特徴とする請求項１から請求項７のいずれかに記載のソーシャルグラフ管理システム。
【請求項９】
前記ソーシャルグラフ管理システムは，
前記ソーシャルグラフ情報記憶部におけるパラメータに対応づけられているユーザの数を判定し，そのユーザの数が一定数以上であるパラメータの幹事であるユーザを特定し，そのユーザに対して，前記広告を配信する，
ことを特徴とする請求項１から請求項８のいずれかに記載のソーシャルグラフ管理システム。
【発明の詳細な説明】
【技術分野】
【０００１】
本発明は，人と人とのつながりや関係性を示すソーシャルグラフを生成するソーシャルグラフ管理システムに関する。
【背景技術】
【０００２】
近年，ｍｉｘｉ，ｆａｃｅｂｏｏｋ，ＬｉｎｋｅｄＩｎ，ｍｙｓｐａｃｅといったソーシャルネットワーキングサービス（以下，「ＳＮＳ」という）が普及している。ＳＮＳとは，ＳＮＳの会員になることによって，会員である友人とコミュニケーションを取ったり，趣味や出身校などの自らの属性と同じ属性を有するほかの会員とコミュニケーションを取ったり，あるいは会員である友人の友人といったように，実生活では接点となることがないほかの会員とコミュニケーションを取ることが可能なインターネット上のサービスである。
【０００３】
ＳＮＳでは，人と人とのつながりや関係性が重視され，人間関係が構築されている。そしてこの人と人とのつながりや関係性は，ソーシャルグラフと呼ばれる。
【０００４】
ＳＮＳを提供する企業は，ソーシャルグラフを利用することによって，その人間関係に基づき，広告やマーケティングを行い収益を得ている。そのため，ソーシャルグラフをどのように生成するか，ということは重要である。そこで，下記特許文献１乃至特許文献４に記載のようにソーシャルグラフを生成等するシステムが存在する。
【先行技術文献】
【特許文献】
【０００５】
【特許文献１】特開２０１１−２２７８９２号公報
【特許文献２】特開２０１１−１７０４７１号公報
【特許文献３】特開２０１０−１２８７１３号公報
【特許文献４】特開２００９−２３８００７号公報
【発明の概要】
【発明が解決しようとする課題】
【０００６】
特許文献１乃至特許文献３に記載されているシステムを用いることで，ソーシャルグラフを生成することが可能となる。しかしこれらのシステムでは，会員が自らの友人や属性などをあらかじめ登録しておく必要がある。すなわち会員が，友人として登録したほかの会員や，当該会員の属性に基づいて結びつけられたほかの会員との関係性を，ソーシャルグラフとして生成し，場合によってはその重み付けなどの処理を行っている。
【０００７】
また特許文献４ではソーシャルグラフを用いて情報検索を行うシステムである。
【０００８】
特許文献１乃至特許文献３の場合，あらかじめ会員は，自らの友人や属性などを登録しなければならない問題点がある。そのため会員にとっては自らの友人を検索する，属性登録を行うなどの負担が発生する。そして，仮にそれらの負担を許容したとしても，ＳＮＳのようにあらかじめそれらの情報を登録することが自発的に行われるインターネットサービスは別として，そうでない場合，たとえば飲食店の情報をインターネットで提供するサービスのような場合には，特許文献１乃至特許文献３に記載の発明を用いることができない。
【０００９】
また，特許文献４の場合にはあらかじめソーシャルグラフを生成して記憶しておかなければ，情報検索を行うことができない問題点がある。
【課題を解決するための手段】
【００１０】
そこで本発明では，あらかじめ自らの友人や属性などを登録せずとも，ソーシャルグラフを生成することが可能なソーシャルグラフ管理システムを発明した。
【００１１】
第１の発明は，ソーシャルグラフを生成するソーシャルグラフ管理システムであって，パラメータを生成するパラメータ生成処理部と，第１のユーザが利用する第１のユーザ端末から，サービス情報のアクセス先識別情報の送信要求を受け付け，前記アクセス先識別情報に前記パラメータ生成処理部で生成したパラメータを付加して，前記第１のユーザ端末から指示を受け付けた送信先に送信するアクセス先送信処理部と，前記生成したパラメータと前記第１のユーザを識別するユーザ識別情報とを対応づけて記憶するソーシャルグラフ情報記憶部と，前記パラメータが付加されたアクセス先識別情報を受け取った第２のユーザが利用する第２のユーザ端末からの，前記パラメータが付加されたアクセス先識別情報に基づく前記サービス情報の表示要求を判定すると，前記ソーシャルグラフ情報記憶部の前記パラメータに，前記第２のユーザのユーザ識別情報をさらに対応づけて記憶させるアクセス判定処理部と，を備えるソーシャルグラフ管理システムである。
【００１２】
本発明のように，サービス情報のアクセス先識別情報，たとえばＵＲＬを送る際に，パラメータをＵＲＬに付加して送ることで，そのパラメータつきのＵＲＬが，当該サービス情報の表示要求を行ったユーザ（第１のユーザ）とは異なるユーザ（第２のユーザ）に対して送られる。そして第２のユーザは，このパラメータつきのＵＲＬを選択するなどで当該サービス情報の表示要求を行えるが，これによって，同一のパラメータを備えた第１のユーザと第２のユーザとの人的つながりや関係性を生成することができる。
【００１３】
このような処理で本願発明は，ユーザ間の人的つながりや関係性を生成することができるので，従来のＳＮＳのように，あらかじめ属性として友人関係の登録をしておく必要がない。
【００１４】
第２の発明は，ソーシャルグラフを生成するソーシャルグラフ管理システムであって，パラメータを生成するパラメータ生成処理部と，第１のユーザが利用する第１のユーザ端末からサービス情報の表示要求を受け付け，前記パラメータを付加した，サービス情報のアクセス先識別情報に基づくアクセスでないと判定すると，前記パラメータ生成処理部において前記パラメータを生成させるアクセス判定処理部と，前記生成されたパラメータを付加したサービス情報のアクセス先識別情報と，前記サービス情報とを，前記第１のユーザ端末に送るサービス情報提供処理部と，前記生成したパラメータと前記第１のユーザを識別するユーザ識別情報とを対応づけて記憶するソーシャルグラフ情報記憶部と，を備えており，前記アクセス判定処理部は，前記第１のユーザから送られた，前記パラメータを付加したアクセス先識別情報を受け取った第２のユーザが利用する第２のユーザ端末からの，前記パラメータが付加されたアクセス先識別情報に基づく前記サービス情報の表示要求を判定すると，前記ソーシャルグラフ情報記憶部の前記パラメータに，前記第２のユーザのユーザ識別情報をさらに対応づけて記憶させる，ソーシャルグラフ管理システムである。
【００１５】
本発明のように構成することでも，ユーザ間の人的つながりや関係性を生成することができる。すなわち，サービス情報の表示要求を行ったユーザ（第１のユーザ）にサービス情報を表示する際に，サービス情報のアクセス先識別情報，たとえばＵＲＬにパラメータを付加する。当該第１のユーザがほかのユーザ（第２のユーザ）に対して当該サービス情報を閲覧させた場合には，そのパラメータつきのＵＲＬを電子メールなどで送ることが通常である。そしてこのパラメータつきのＵＲＬを第２のユーザが選択するなどで当該サービス情報の表示要求を行うと，第１のユーザと第２のユーザとでは同一のパラメータに基づく表示要求であることから，第１のユーザと第２のユーザとの人的つながりや関係性を生成することができる。
【００１６】
上述の各発明において，前記アクセス判定処理部は，前記第２のユーザのユーザ識別情報を特定出来ない場合，前記第２のユーザに対してユーザ識別情報を新たに付与し，そのユーザ識別情報を前記第２のユーザのユーザ識別情報として前記ソーシャルグラフ情報記憶部に記憶させ，前記付与したユーザ識別情報を前記第２のユーザ端末に記憶させる，ソーシャルグラフ管理システムのように構成することもできる。
【００１７】
第２のユーザが非会員の場合には，ユーザ識別情報としての会員情報を取得できない場合がある。そのような場合には，ユーザ識別情報を新たに付与し，第２のユーザのユーザ端末のCookieなどに記憶させることで，当該ユーザの同一性を維持することが良い。
【００１８】
上述の各発明において，前記ソーシャルグラフ管理システムは，さらに，前記ソーシャルグラフ情報記憶部に記憶するパラメータと第１のユーザのユーザ識別情報と第２のユーザのユーザ識別情報とに基づいて，前記パラメータに基づくソーシャルグラフを生成するソーシャルグラフ生成処理部，を備えており，広告配信の条件を充足したユーザを特定し，そのユーザのユーザ識別情報に基づいて，前記ソーシャルグラフ生成処理部でソーシャルグラフを生成する，ソーシャルグラフ管理システムのように構成することもできる。
【００１９】
広告配信を行う場合には，属性が近いものに送ることが効果的であることが知られている。そして人は属性の近い者同士が集まることが多い。従って，広告配信の条件を充足したユーザを特定し，そのユーザを中心としたソーシャルグラフを生成する。このようにソーシャルグラフを生成し，当該ユーザの人的つながりや関連性を特定することで，さまざまな企業活動に用いることができる。
【００２０】
前記ソーシャルグラフ管理システムは，前記生成したソーシャルグラフに基づいて，そのユーザから所定の世代の範囲内のほかのユーザに対しても，前記広告を配信する，ソーシャルグラフ管理システムのように構成することもできる。
【００２１】
前記ソーシャルグラフ管理システムは，前記生成したソーシャルグラフに基づいて，そのユーザのユーザ識別情報が対応づけられたパラメータに，対応づけられているほかのユーザに対しても，前記広告を配信する，ソーシャルグラフ管理システムのように構成することもできる。
【００２２】
これらの発明のように構成することで，広告配信の条件を充足したユーザ以外にも，そのユーザから派生する人的つながりや関連性のあるほかのユーザに広告を行うことができる。上述のように，人は属性の近い者同士が集まることが多いことから，このようにして特定されたユーザに対して広告を行うことで，広告効果を高めることができる。
【００２３】
また，前記ソーシャルグラフ管理システムは，前記生成したソーシャルグラフに基づいて，そのユーザのユーザ識別情報が対応づけられたパラメータに，対応づけられているほかのユーザのうち，幹事として管理されているユーザに対しても，前記広告を配信する，ソーシャルグラフ管理システムのように構成することもできる。
【００２４】
本発明のように構成することで，幹事として管理されているユーザに対して広告を行うことができる。幹事は積極的な行動を行っていることから，広告に対しても受忍しやすく，その閲覧効果も高いと考えられるからである。
【００２５】
また，前記ソーシャルグラフ管理システムは，前記ソーシャルグラフ情報記憶部におけるパラメータのうち，所定数以上のパラメータに対応づけられているユーザを特定し，そのユーザに対しても，前記広告を配信する，ソーシャルグラフ管理システムのように構成することもできる。
【００２６】
本発明の場合，多くの人的つながりや関連性を有するユーザを特定して広告を配信することができる。このようにして特定されたユーザは，さまざまな人的つながりや関連性を有していることから，さまざまなことに対する関心が強いと推測され，広告に対する閲覧効果も高いと考えられるからである。
【００２７】
また，前記ソーシャルグラフ管理システムは，前記ソーシャルグラフ情報記憶部におけるパラメータに対応づけられているユーザの数を判定し，そのユーザの数が一定数以上であるパラメータの幹事であるユーザを特定し，そのユーザに対して，前記広告を配信する，ソーシャルグラフ管理システムのように構成することもできる。
【００２８】
本発明の場合，大人数と人的つながりや関連性を有しており，その中心的人物にいるユーザを特定することができる。この場合，再度，大人数でのイベントなどを開催する可能性が高く，広告効果も見込むことができると考えられるからである。
【発明の効果】
【００２９】
ＳＮＳ以外のインターネットサービスのように，自らの友人や属性などを登録しないインターネットサービスの場合にはソーシャルグラフを生成することが困難であったが，本発明を用いることによって，そのような場合であってもソーシャルグラフを生成することができる。
【図面の簡単な説明】
【００３０】
【図１】本発明のシステム構成の一例を模式的に示す図である。
【図２】本発明のハードウェア構成の一例を模式的に示す図である。
【図３】本発明の処理プロセスの一例を模式的に示すフローチャートである。
【図４】本発明の実施例２のシステム構成の一例を模式的に示す図である。
【図５】本発明の実施例２の処理プロセスの一例を模式的に示すフローチャートである。
【図６】ユーザ端末に表示するサービス情報の画面の一例を模式的に示す図である。
【図７】ソーシャルグラフ情報記憶部の一例を模式的に示す図である。
【図８】ＵＲＬの送り先となる電子メールアドレスの入力画面の一例を模式的に示す図である。
【図９】ソーシャルグラフ情報記憶部の一状態を模式的に示す図である。
【図１０】ソーシャルグラフ情報記憶部の一状態を模式的に示す図である。
【図１１】ソーシャルグラフ情報記憶部の一状態を模式的に示す図である。
【図１２】ソーシャルグラフのイメージの一例を模式的に示す図である。
【図１３】パラメータ「ａｂｃｄｅｆ」の幹事となったユーザ「１２３４５」のソーシャルグラフのイメージの一例である。
【図１４】ユーザ端末に表示するサービス情報の画面のほかの一例を模式的に示す図である。
【発明を実施するための形態】
【００３１】
本発明のソーシャルグラフ管理システム１のシステム構成の一例を図１に模式的に示す。ソーシャルグラフ管理システム１は，本発明のソーシャルグラフ管理システム１を利用するユーザが利用するコンピュータ端末とインターネットなどのネットワークを介して情報の送受信が可能である。
【００３２】
ユーザ端末としては，ソーシャルグラフにおける中心となるユーザである幹事が利用するコンピュータ端末である幹事端末２と，本発明のソーシャルグラフ管理システム１を運営する企業が提供するサービスの会員が利用するコンピュータ端末である会員端末３と，非会員が利用するコンピュータ端末である非会員端末４とがある。なお，会員端末３，非会員端末４の双方がなくてもよく，たとえば会員端末３のみであっても良い。また，コンピュータ端末には，パーソナルコンピュータなどのほか，携帯電話やＰＨＳ，タブレット型のコンピュータなどが含まれる。
【００３３】
ソーシャルグラフ管理システム１のハードウェア構成の一例を図２に模式的に示す。ソーシャルグラフ管理システム１は，プログラムの演算処理を実行するＣＰＵなどの演算装置と，情報を記憶するＲＡＭやＲＯＭ，ＨＤＤやＳＳＤなどの記憶装置と，演算装置の処理結果や記憶装置に記憶する情報をインターネットなどのネットワークを介して送受信する通信装置と，ボタンやタッチパネルなどの入力装置，液晶ディスプレイ，有機ＥＬなどの表示装置とを有している。ソーシャルグラフ管理システム１で実現する各機能（各手段）は，その処理を実行する手段（プログラムやモジュールなど）が演算装置に読み込まれることでその処理が実行される。各機能は，記憶装置に記憶した情報をその処理において使用する場合には，該当する情報を当該記憶装置から読み出し，読み出した情報を適宜，演算装置における処理に用いる。
【００３４】
本発明における各手段は，その機能が論理的に区別されているのみであって，物理上あるいは事実上は同一の領域を為していても良い。
【実施例１】
【００３５】
ソーシャルグラフ管理システム１は，サービス情報提供処理部１０とサービス情報記憶部１１とパラメータ生成処理部１２とアクセス先送信処理部１３とソーシャルグラフ情報記憶部１４とアクセス判定処理部１５とソーシャルグラフ生成処理部１６とを有する。
【００３６】
サービス情報提供処理部１０は，サービス情報記憶部１１に記憶しているサービス情報，たとえば飲食店，宿泊施設，旅行などのさまざまな情報を，ユーザ端末に送り，表示を行わせる。サービス情報が飲食店情報の場合の画面の一例を図６に示す。
【００３７】
サービス情報記憶部１１は，ユーザ端末で表示させるサービス情報を記憶している。たとえば図６に示すウェブサイトの情報や，それらを示すサービスの内容に関する情報，たとえば店舗の識別情報，店舗名などの各種の属性情報などが含まれる。
【００３８】
パラメータ生成処理部１２は，サービス情報を表示するためのＵＲＬなどの（アクセス先識別情報）に，当該サービス情報を表示したユーザから送られたリンクのＵＲＬでアクセスしたことを示すパラメータを生成する。なおアクセス先識別情報とは，ＵＲＬに限られず，サービス情報を表示するためのアクセス先となる情報を示すものであればよい。
【００３９】
たとえば，あるユーザ（幹事）が，ソーシャルグラフ管理システム１から受け取ったある飲食店のウェブサイトを当該ユーザの端末（幹事端末２）で閲覧しており，そこで食事会を開催しようと思った場合，当該ＵＲＬをほかの参加者に対して送る。その際に，ユーザが幹事端末２からソーシャルグラフ管理システム１に対してＵＲＬを送る旨の要求をし，その要求をソーシャルグラフ管理システム１で受け付けると，パラメータ生成処理部１２は，当該ＵＲＬに対応づけるパラメータを生成する。ここで生成したパラメータを含むＵＲＬは，後述するアクセス先送信処理部１３が，当該ユーザ（幹事）および／またはほかの参加者に対して当該ＵＲＬ（パラメータを含むＵＲＬ）を電子メールなどで送ることとなる。
【００４０】
また，パラメータ生成処理部１２は，当該生成したパラメータと，当該ＵＲＬと，当該ＵＲＬを送ることを要求したユーザの識別情報とを対応づけて，ソーシャルグラフ情報記憶部１４に記憶させる。またＵＲＬを送ることを要求したユーザは，ほかのユーザに対して当該ＵＲＬを送る立場にあることから，ソーシャルグラフの中心的人物として，たとえば「幹事」として記憶させておく。
【００４１】
アクセス先送信処理部１３は，ユーザ端末からＵＲＬを電子メールなどで送る旨の要求を受け付けると，当該ＵＲＬにパラメータ生成処理部１２で生成したパラメータを付加し，それをユーザ端末から受け付けた電子メールアドレスに対して送る。この際に送る電子メールアドレスとしては，当該ユーザ（ＵＲＬを送る旨の要求を行ったユーザ）であっても良いし，ほかのユーザであっても良い。
【００４２】
ソーシャルグラフ情報記憶部１４は，パラメータとＵＲＬとユーザとを対応づけて記憶する。図７にソーシャルグラフ情報記憶部１４の一例を模式的に示す。ユーザを識別する情報としては，たとえば会員制の場合には会員識別情報，会員制の場合の非会員の場合には可搬型通信端末（たとえば携帯電話）のＵＩＤなどがある。あるいは任意の識別情報を生成し，それをアクセスしてきたユーザのユーザ端末のCookieに書き込んでおくことで対応関係をとっても良い。
【００４３】
アクセス判定処理部１５は，ユーザ端末からサービス情報の表示要求を受け付けた場合，その表示要求が，パラメータを含むＵＲＬのリンクを選択したものであるか，そうでないかを判定する。そして，パラメータを含むＵＲＬのリンクを選択したものである場合には，当該パラメータに対応づけて当該ユーザを識別する識別情報をソーシャルグラフ情報記憶部１４に記憶させる。また，サービス情報提供処理部１０に対して，当該ＵＲＬに対応するサービス情報の表示要求を渡す。
【００４４】
ソーシャルグラフ生成処理部１６は，ソーシャルグラフ情報記憶部１４に記憶した情報に基づいて，ソーシャルグラフを生成する。生成するソーシャルグラフとしては，たとえば表形式，図形式，テキスト形式などのように，任意の形式などでよい。なお、出力形式が表形式，図形式，テキスト形式などであっても、システム上は、それを実現するためのシステムが認識可能な形式で管理されていることは当然である。
【００４５】
つぎに本発明のソーシャルグラフ管理システム１を用いた処理プロセスの一例を，図３のフローチャートを用いて説明する。本実施例の以下の説明では，ソーシャルグラフ管理システム１が提供する情報が飲食店の情報であり，その飲食店に関する情報を，幹事となるユーザがほかのユーザに紹介することで，ソーシャルグラフを生成する場合を説明するが，飲食店以外の情報，たとえば宿泊施設の情報，旅行の情報など，ウェブサイトで提供している情報であれば如何なる種類の情報であっても良い。
【００４６】
また，あるユーザ（幹事となるユーザＡ）が食事会を主催する場合に，その参加者に対して，会場となる飲食店のウェブサイトのＵＲＬを送り，そのＵＲＬを受け取った各参加者が，当該ＵＲＬから当該飲食店のウェブサイトにアクセスをすることで，ソーシャルグラフを生成する場合である。従って，サービス情報記憶部１１には飲食店のウェブサイトの情報が記憶されており，サービス情報提供処理部１０が各ユーザ端末に対して，その要求に応じた飲食店のウェブサイトの情報を送り，表示させる。
【００４７】
幹事となるユーザＡは，所定の方法で幹事端末２からソーシャルグラフ管理システム１にアクセスし，飲食店のウェブサイトの表示要求を行う。この表示要求を受け付けたアクセス判定処理部１５は，当該表示要求が，パラメータを含むＵＲＬのリンクを選択したものであるかを判定する。ここでは，ユーザは，ＵＲＬのリンクを選択せずにアクセスを行っているので，アクセス判定処理部１５は，当該表示要求をサービス情報提供処理部１０に渡す。これによって，たとえば，図６に示すような飲食店のウェブサイトが幹事端末２で表示される（Ｓ１００）。
【００４８】
幹事となるユーザＡが，当該飲食店を食事会の会場として選定し，そのＵＲＬを各参加者に送る場合，当該飲食店のウェブサイトの所定箇所，たとえば図６の場合であれば，「ケータイ・ＰＣに送る」を選択する。これによって，図８に示すように，ＵＲＬの送り先となる電子メールアドレスの入力画面のウェブサイトが幹事端末２で表示される。
【００４９】
幹事となるユーザＡは，図８の画面にＵＲＬの送り先となる電子メールアドレスを入力し，「送信する」を押下する。これによって，幹事端末２からソーシャルグラフ管理システム１に対して，当該入力した電子メールアドレスに当該飲食店のＵＲＬを電子メールで送る旨の要求が送られる。たとえば幹事となるユーザＡが自分に送る場合には，自らの電子メールアドレスが入力し，ほかの参加者に対して直接送る場合には，その参加者の電子メールアドレスを入力する。
【００５０】
上記で入力された電子メールアドレスと，当該飲食店のＵＲＬの送信要求は，アクセス先送信処理部１３で受け付け（Ｓ１１０），アクセス先送信処理部１３は，パラメータ生成処理部１２においてパラメータを生成する処理を実行させる（Ｓ１２０）。たとえばパラメータとして「ａｂｃｄｅｆ」を生成する。このパラメータには数字，英字，記号などが用いられる。
【００５１】
パラメータ生成処理部１２は，Ｓ１２０で生成したパラメータ（「ａｂｃｄｅｆ」）と，送られるＵＲＬ（たとえばhttp://r.gnavi.co.jp/g10000）と，幹事となるユーザＡのユーザ識別情報（たとえば「１２３４５」）とを対応づけて，ソーシャルグラフ情報としてソーシャルグラフ情報記憶部１４に記憶させる（Ｓ１３０）。この状態の一例を模式的に示すのが，図９である。なおこの際に，飲食店の識別情報，日付などの情報も対応づけて記憶させても良い。
【００５２】
またアクセス先送信処理部１３は，パラメータ生成処理部１２で生成したパラメータを受け取り，そのパラメータを付加したＵＲＬとして，入力を受け付けた電子メールアドレス（たとえば「kanji@aaaaa.co.jp」）に送る。上述の例では，電子メールアドレス「kanji@aaaaa.co.jp」に対して，「http://r.gnavi.co.jp/g10000?p=abcdef」を含む電子メールを送る。なお，この際に，幹事となるユーザに送るのではなく，直接，ほかの参加者に電子メールを送っても良い。この場合，参加者の電子メールアドレスを複数，入力可能としておくことで，入力された各電子メールアドレスに対して，アクセス先送信処理部１３が電子メールを送ればよい。
【００５３】
そしてソーシャルグラフ管理システム１から送った電子メールを，幹事となるユーザＡが受け取ると，そのＵＲＬを含んだ電子メールを食事会の各参加者（ユーザＢ，ユーザＣ，ユーザＤ，ユーザＥ）に対して転送する。
【００５４】
この電子メールを受け取ったユーザＢ乃至ユーザＥは，その電子メールにおけるＵＲＬから，それぞれ，飲食店のウェブサイトにアクセスをする。なお，ユーザＢおよびユーザＣは飲食店情報提供サービスの会員，ユーザＤおよびユーザＥは飲食店情報提供サービスの非会員とする。
【００５５】
たとえばユーザＢがアクセスをする場合，ユーザＡから送られた電子メールにおけるＵＲＬを選択することでアクセスをする。これによって，ユーザＢの会員端末３からソーシャルグラフ管理システム１に対して，「http://r.gnavi.co.jp/g10000?p=abcdef」の飲食店情報の表示要求が送られる。この表示要求を受け付けたソーシャルグラフ管理システム１のアクセス判定処理部１５は，その表示要求がパラメータを含むＵＲＬのリンクを選択したものであるか，そうでないかを判定する。
【００５６】
ここでは，パラメータ「ａｂｃｄｅｆ」を含むＵＲＬのリンクを選択したものであるので，ユーザＢのユーザ識別情報（たとえば「２４６８０」）を取得し（たとえばユーザＢは会員なので，ユーザ端末に記憶しているユーザＢを取得するなど），ソーシャルグラフ情報記憶部１４に，当該受け取ったＵＲＬにおけるパラメータ「ａｂｃｄｅｆ」に対応づけて，ユーザＢのユーザ識別情報「２４６８０」を記憶させる（Ｓ１６０）。この状態のソーシャルグラフ情報記憶部１４の一例を図１０に模式的に示す。
【００５７】
一方，非会員であるユーザが同様にアクセスをする場合，ユーザＡから送られた電子メールにおけるＵＲＬを選択することでアクセスをする。これによって，ユーザＤの非会員端末４からソーシャルグラフ管理システム１に対して，「http://r.gnavi.co.jp/g10000?p=abcdef」の飲食店情報の表示要求が送られる。この表示要求を受け付けたソーシャルグラフ管理システム１のアクセス判定処理部１５は，その表示要求がパラメータを含むＵＲＬのリンクを選択したものであるか，そうでないかを判定する。
【００５８】
ここでは，パラメータ「ａｂｃｄｅｆ」を含むＵＲＬのリンクを選択したものであるので，ユーザＤのユーザ識別情報を取得しようとする。しかし，ユーザＤはまだ会員ではないためユーザ識別情報を非会員端末４に記憶していない。そこで，当該ユーザＤの非会員端末４からＵＩＤなどの情報を取得する。ＵＩＤの情報を取得できない場合には，ユーザＤに対して任意の識別情報，たとえば「ｎａ１１１１１」を生成し，ユーザＤの非会員端末４に対してその任意の識別情報を含むCookieを書き込む。そして，ソーシャルグラフ情報記憶部１４に，当該受け取ったＵＲＬにおけるパラメータ「ａｂｃｄｅｆ」に対応づけて，ユーザＤのユーザ識別情報「ｎａ１１１１１」を記憶させる（Ｓ１６０）。この状態のソーシャルグラフ情報記憶部１４の一例を図１１に模式的に示す。
【００５９】
以上のようにして，会員，非会員にかかわらず，当該パラメータを含むＵＲＬに基づいてアクセスしたユーザのユーザ識別情報をソーシャルグラフ情報として，パラメータに対応づけて記憶させる。ユーザＣ，ユーザＥについてもソーシャルグラフ情報記憶部１４に記憶した状態が図７である。
【００６０】
このようにして対応づけられたソーシャルグラフのイメージが図１２である。
【００６１】
また，ソーシャルグラフ管理システム１の運営企業などは，ソーシャルグラフの生成をしたい場合には，所定の操作を行うことで，ソーシャルグラフを生成したいユーザのユーザ識別情報などを特定することで，当該ユーザが含まれているパラメータを抽出し，当該パラメータに対応づけられているユーザの情報を抽出することで，図１２に示すようなパラメータ毎のソーシャルグラフを生成する。これによって，ソーシャルグラフを生成することができる。たとえば図１３のようなソーシャルグラフが生成できる。図１３は，パラメータ「ａｂｃｄｅｆ」の幹事となったユーザ「１２３４５」のソーシャルグラフのイメージの一例である。
【００６２】
このようなソーシャルグラフを生成することで，運営企業がたとえば飲食店に関するターゲット広告を行いたい場合，まずターゲットとなる広告の配信条件を入力し，ターゲットとなる条件を充足するユーザを特定する。そして，たとえばユーザＡが充足した場合には，そのユーザＡに関連するほかのユーザ（ユーザＡ乃至ユーザＨ）に対しても広告を行う。これは，趣味や嗜好などが近い人同士がグループになりやすいこと，グループのうち誰か一人でも共感すれば，グループで当該飲食店に訪れる可能性があること，などの観点から有益である。
【００６３】
この場合，たとえば，ソーシャルグラフ生成処理部１６で生成したソーシャルグラフのうち，条件を充足したユーザＡが参加した食事会（すなわちユーザＡのユーザ識別情報が対応づけられたパラメータ）に，参加したほかのユーザ（当該対応づけられたパラメータに，対応づけられているほかのユーザ）に，上記広告を配信する。
【００６４】
また，ターゲット広告となる条件をユーザＦが充足した場合，そのユーザＦから１世代までのつながり，２世代までのつながり，など任意の世代のつながりまでのユーザにターゲット広告を行うことができる。たとえば２世代までのつながりを行う場合，ユーザＦのほかに，ユーザＡとユーザＧ（１世代），ユーザＢとユーザＣとユーザＤとユーザＥとユーザＨ（２世代）に広告を行うことができる。たとえば２世代までの場合，まずユーザＦのユーザ識別情報が対応づけられたパラメータを特定し，そのパラメータに対応づけられたほかのユーザを特定する（１世代の特定）。そしてさらに当該ほかのユーザが対応づけられたパラメータを特定し，そのパラメータに対応づけられたさらなるほかのユーザを特定する（２世代の特定）。そして特定した１世代，２世代のユーザに対して，広告を配信する。
【００６５】
さらに，条件を充足したユーザと関連性のあるユーザのすべてに広告を配信するのではなく，パラメータの幹事として記憶されているユーザのみに広告を配信しても良い。上述の場合，たとえば，ユーザＦのほかに，ユーザＡとユーザＧ（１世代），ユーザＨ（２世代）が幹事であるので，これらユーザのみに配信を行ってもよい。幹事は積極的な行動を行っていることから，広告に対しても受忍しやすく，その閲覧効果も高いと考えられるからである。
【００６６】
また，多くのパラメータに対応づけられているユーザを特定し，そのユーザに対して広告を行えても良い。この場合，当該ユーザは，さまざまな食事会に参加していることとなり，食事会に対する関心が強いと推測され，広告に対する閲覧効果も高いと考えられるからである。
【００６７】
さらに，パラメータに対応づけられているユーザの数を判定し，そのユーザの数が一定数以上である場合の幹事となるユーザを特定し，そのユーザに対して広告を行えても良い。この幹事となるユーザは，大規模な食事会を開催しているため，そのユーザは再度，同様の食事会を開く可能性が高く，結果，広告効果も高いと考えられるからである。
【実施例２】
【００６８】
実施例１では，ユーザがＵＲＬの送信要求をソーシャルグラフ管理システム１に送る場合であったが，本実施例では，ユーザが，飲食店のウェブサイトの画面に表示された，パラメータを含むＵＲＬをコピーして，そのＵＲＬを各参加者に送る場合を説明する。従って，幹事となるユーザが飲食店のウェブサイトにアクセスした場合（パラメータを含むＵＲＬのリンクを選択してアクセスした場合でない場合）には，そのＵＲＬとして，あらかじめ生成されたパラメータが付加されたＵＲＬが表示されることとなる。
【００６９】
本実施例におけるソーシャルグラフ管理システム１では，サービス情報提供処理部１０とサービス情報記憶部１１とパラメータ生成処理部１２とソーシャルグラフ情報記憶部１４とアクセス判定処理部１５とソーシャルグラフ生成処理部１６とを有している。
【００７０】
サービス情報提供処理部１０，サービス情報記憶部１１，ソーシャルグラフ情報記憶部１４，ソーシャルグラフ生成処理部１６は，実施例１と同様なので説明を省略する。
【００７１】
パラメータ生成処理部１２は，サービス情報を表示するためのＵＲＬ（アクセス先識別情報）に付加するためのパラメータを生成する。具体的には，後述するアクセス判定処理部１５からパラメータの生成要求を受け付けた場合にパラメータを生成し，アクセス判定処理部１５に返すことによって，サービス情報提供処理部１０がユーザ端末に表示させるサービス情報の画面を表示する際に，そのＵＲＬにパラメータを付加させる。
【００７２】
そして，当該ユーザが，そのサービス情報をほかのユーザに伝えたい場合には，画面に表示されているパラメータを含むＵＲＬをコピーし，電子メールに貼り付けを行い，ほかのユーザに対して電子メールで送る。この電子メールを受け取ったほかのユーザは，アクセス先のリンクを知ることができ，そのリンクを選択することで，当該サービス情報の画面を閲覧できる。
【００７３】
また，パラメータ生成処理部１２は，当該生成したパラメータと，当該ＵＲＬと，当該ＵＲＬを送ることを要求したユーザの識別情報とを対応づけて，ソーシャルグラフ情報記憶部１４に記憶させる。またＵＲＬを送ることを要求したユーザは，ほかのユーザに対して当該ＵＲＬを送る立場にあることから，ソーシャルグラフの中心的人物として，たとえば「幹事」として記憶させておく。
【００７４】
アクセス判定処理部１５は，ユーザ端末からサービス情報の表示要求を受け付けた場合，その表示要求が，パラメータを含むＵＲＬのリンクを選択したものであるか，そうでないかを判定する。そして，パラメータを含むＵＲＬのリンクを選択したものである場合には，当該パラメータに対応づけて当該ユーザを識別する識別情報を記憶させる。また，サービス情報提供処理部１０に対して，当該ＵＲＬに対応するサービス情報の表示要求を渡す。
【００７５】
一方，パラメータを含むＵＲＬのリンクを選択したものでない場合には，パラメータ生成処理部１２に対してパラメータの生成要求を渡し，パラメータを生成させる。
【００７６】
つぎに本実施例の場合の処理プロセスを図５のフローチャートを用いて説明する。本実施例の以下の説明では，ソーシャルグラフ管理システム１が提供する情報が飲食店の情報であり，その飲食店に関する情報を，幹事となるユーザがほかのユーザに紹介することで，ソーシャルグラフを生成する場合を説明するが，飲食店以外の情報，たとえば宿泊施設の情報，旅行の情報など，ウェブサイトで提供している情報であれば如何なる種類の情報であっても良い。
【００７７】
また，あるユーザ（幹事となるユーザＡ）が食事会を主催する場合に，当該ユーザがその参加者に対して，会場となる飲食店のウェブサイトのＵＲＬを電子メールで送り，そのＵＲＬを受け取った各参加者が，当該ＵＲＬから当該飲食店のウェブサイトにアクセスをすることで，ソーシャルグラフを生成する場合である。従って，サービス情報記憶部１１には飲食店のウェブサイトの情報が記憶されており，サービス情報提供処理部１０が各ユーザ端末に対して，その要求に応じた飲食店のウェブサイトの情報を送り，表示させる。
【００７８】
幹事となるユーザＡは，所定の方法で幹事端末２からソーシャルグラフ管理システム１にアクセスし，飲食店のウェブサイトの表示要求を行う（Ｓ２００）。この表示要求をアクセス判定処理部１５で受け付けると，アクセス判定処理部１５は，当該表示要求が，パラメータを含むＵＲＬのリンクを選択したものであるかを判定する。ここでは，ユーザは，ＵＲＬのリンクを選択せずにアクセスを行っているので，アクセス判定処理部１５は，パラメータ生成処理部１２に対して，パラメータの生成要求を渡す。
【００７９】
アクセス判定処理部１５からのパラメータ生成要求を受け付けると，パラメータ生成処理部１２は，任意のパラメータを生成し（Ｓ２１０），そのパラメータをアクセス判定処理部１５に返す。たとえばパラメータとして「ａｂｃｄｅｆ」を生成し，それをアクセス判定処理部１５に返す。
【００８０】
また，Ｓ２１０で生成したパラメータと，表示要求がなされたＵＲＬ（たとえばhttp://r.gnavi.co.jp/g10000）と，表示要求を行ったユーザＡのユーザ識別情報（たとえば「ａｂｃｄｅｆ」）とを対応づけて，ソーシャルグラフ情報としてソーシャルグラフ情報記憶部１４に記憶させる（Ｓ２２０）。この状態の一例を模式的に示すのが，図９である。なおこの際に，飲食店の識別情報，日付などの情報も対応づけて記憶させても良い。
【００８１】
パラメータをパラメータ生成処理部１２から受け取ったアクセス判定処理部１５は，そのパラメータと表示要求とをサービス情報提供処理部１０に対して渡す。そして，表示要求を受け取ったサービス情報提供処理部１０は，表示要求に対応する飲食店のウェブサイトの情報をサービス情報記憶部１１から取得する。そしてこのＵＲＬに受け取ったパラメータを付加して飲食店のウェブサイトを幹事端末２で表示させる（Ｓ２３０）。たとえば，表示要求を受け付けた飲食店のＵＲＬが「http://r.gnavi.co.jp/g10000」であり，生成したパラメータが「ａｂｃｄｅｆ」であった場合，「http://r.gnavi.co.jp/g10000?p=abcdef」として，たとえば図１４に示すような画面を表示させる。
【００８２】
幹事となるユーザＡが，当該飲食店を食事会の会場として選定し，そのＵＲＬを各参加者に送る場合，図１４のような画面に表示されているパラメータを含むＵＲＬをコピーして，電子メールに貼り付ける。そして，当該電子メールを送るユーザ（食事会の参加者となるユーザ，ここでは，ユーザＢ乃至ユーザＥ）の電子メールアドレスを入力し，送信する（Ｓ２４０）。すなわち，ユーザＢ乃至ユーザＥの電子メールアドレスに対して，電子メールの本文に，「http://r.gnavi.co.jp/g10000?p=abcdef」を含む電子メールをユーザＡが送ることとなる。
【００８３】
ユーザＡからの電子メールを受け取ったユーザＢ乃至ユーザＥは，その電子メールにおけるＵＲＬから，それぞれ，飲食店のウェブサイトにアクセスをする（Ｓ２５０）。なお，Ｓ２５０以降の処理（Ｓ２６０およびＳ２７０）は，実施例１におけるＳ１６０およびＳ１７０と同様の処理を実行する。
【００８４】
このように，本実施例の処理を実行することによっても，ソーシャルグラフを生成することができる。
【産業上の利用可能性】
【００８５】
ＳＮＳ以外のインターネットサービスのように，自らの友人や属性などを登録しないインターネットサービスの場合にはソーシャルグラフを生成することが困難であったが，本発明を用いることによって，そのような場合であってもソーシャルグラフを生成することができる。
【符号の説明】
【００８６】
１：ソーシャルグラフ管理システム
２：幹事端末
３：会員端末
４：非会員端末
１０：サービス情報提供処理部
１１：サービス情報記憶部
１２：パラメータ生成処理部
１３：アクセス先送信処理部
１４：ソーシャルグラフ情報記憶部
１５：アクセス判定処理部
１６：ソーシャルグラフ生成処理部
【図１】
2013257800.tif 000003
【図２】
2013257800.tif 000004
【図３】
2013257800.tif 000005
【図４】
2013257800.tif 000006
【図５】
2013257800.tif 000007
【図６】
2013257800.tif 000008
【図７】
2013257800.tif 000009
【図８】
2013257800.tif 000010
【図９】
2013257800.tif 000011
【図１０】
2013257800.tif 000012
【図１１】
2013257800.tif 000013
【図１２】
2013257800.tif 000014
【図１３】
2013257800.tif 000015
【図１４】
2013257800.tif 000016